(57)【特許請求の範囲】
【請求項１】
ヒンジを介して開閉可能に設けられた第１、第２の筐体と、ヒンジ部を介して第１の筐体から第２の筐体に渡って配設される複数のフレキシブルプリント基板とを備え、
前記ヒンジ部内に於いて、前記複数のフレキシブル基板を重ねて螺旋状に配設し、且つ前記第１、第２の筐体を閉じたとき外側のフレキシブルプリント基板の内面の平均半径がその内側のフレキシブルプリント基板の外面の平均半径より所定寸法以上大きくなるようにしたことを特徴とする折畳式携帯電話端末。
【請求項２】
請求項１記載の折畳式携帯電話端末であり、前記外側のフレキシブルプリント基板と前記内側のフレキシブルプリント基板との螺旋部の隙間が０．５ｍｍ以上であることを特徴とする折畳式携帯電話端末。
【発明の詳細な説明】
【０００１】
【産業上の利用分野】
本発明は複数のフレキシブルプリント基板がヒンジ部で螺旋している折畳式携帯電話端末に関する。
【０００２】
【従来の技術】
現在、折畳式携帯電話機や折畳式ＰＨＳ（Ｐｅｒｓｏｎａｌ  Ｈａｎｄｙｐｈｏｎｅ  Ｓｙｓｔｅｍ）が市販されている。この折畳式の端末は、受話部と送話部の２つの回転体をヒンジ部で回動可能に結合しており、このヒンジ部内には受話部と送話部を電気的に接続するフレキシブルプリント基板が通っている。ヒンジ部内のフレキシブルプリント基板は、開閉による断線等の損傷を防止するために、螺旋状に巻かれている（特開平１−８９８４５号公報参照）。
【０００３】
【発明が解決しようとする課題】
しかし、携帯電話機の機能向上により、フレキシブルプリント基板に納めなければならない導線の本数は増加する一方である。これにより、フレキシブルプリント基板の幅は折畳式の端末に対する許容幅を超えるようになった。
【０００４】
これを解決する方法として、フレキシブルプリント基板を多層にする方法が考えられるが、多層のフレキシブルプリント基板は、曲げにより外側の導線に大きな張力が加わるために片面に比べて開閉の耐久性が低下する。
【０００５】
そこで、導線が単層のフレキシブルプリント基板を複数重ねてヒンジ部を通すことが考えられるが、この場合は、曲げることにより螺旋の半径が小さくなるために、フレキシブルプリント基板の摩擦が大きくなるという問題が生じる。図５は摩擦が極度に大きくなる場合を示す側面図である。携帯電話端末を閉じることにより、内外のフレキシブルプリント基板（４）（５）の螺旋が小さくなる。後述の理由により、外側のフレキシブルプリント基板（５）の螺旋の方が、内側のフレキシブルプリント基板（４）より小さくなるために、内側のフレキシブルプリント基板（４）の螺旋でない部分（４２）（４３）が変形する程圧縮される。すると、その反力により両フレキシブルプリント基板（４）（５）の螺旋部の摩擦力が極度に大きくなる。
【０００６】
【課題を解決するための手段】
本発明の折畳式携帯電話端末は、ヒンジを介して開閉可能に設けられた第１、第２の筐体と、ヒンジ部を介して第１の筐体から第２の筐体に渡って配設される複数のフレキシブルプリント基板とを備え、前記ヒンジ部内に於いて、前記複数のフレキシブル基板を重ねて螺旋状に配設し、且つ前記第１、第２の筐体を閉じたとき外側のフレキシブルプリント基板の内面の平均半径がその内側のフレキシブルプリント基板の外面の平均半径より所定寸法以上大きくなるようにしたことを特徴とする。
【０００７】
請求項２に記載の折畳式携帯電話端末は、請求項１記載の折畳式携帯電話端末であり、前記外側のフレキシブルプリント基板と前記内側のフレキシブルプリント基板との螺旋部の隙間が０．５ｍｍ以上であることを特徴とする。
【０００８】
【発明の実施の形態】
本発明の実施例の形態を図に基づき説明する。図１はフレキシブルプリント基板（１）を携帯電話端末の筐体に組み込む前の状態を示す部分透過斜視図であり、図２は組み込んだ後の状態を示す部分透過斜視図である。
【０００９】
本実施例の携帯電話端末は受話部（１）と、送話部（２）と、ヒンジ部（３）を備えた折畳式である。
【００１０】
受話部（１）のプリント基板（１１）と送話部（２）のプリント基板（２１）は上下に重なった第１、第２のフレキシブルプリント基板（４）（５）により電気的に接続される。この接続はロック機構付コネクタ（１２）（１３）（２２）（２３）により行われ、第１、第２のフレキシブルプリント基板（４）（５）の接続が容易に外れないようになっている。
【００１１】
受話部（１）の筐体（１４）と送話部（２）の筐体（２４）は、ヒンジ部（３）により回動可能に接続され、受話部（１）と送話部（２）はαラジアンの角度で開閉する。
【００１２】
第１、第２のフレキシブルプリント基板（４）（５）で接続された受話部（１）と送話部（２）のプリント基板（１１）（１２）が携帯電話端末に組み込まれるとき、第１、第２のフレキシブルプリント基板（４）（５）のヒンジ部（３）に対応する部分がヒンジ部（３）の回転方向に１巻きされる。
【００１３】
図３、図４は第１、第２のフレキシブルプリント基板（４）（５）の螺旋状態の変化を示す側面図である。図３は携帯電話端末を開いた状態であり、図４は閉じた状態である。
【００１４】
開いた状態の図３に於いて、内側となる第１のフレキシブルプリント基板（４）の外面（４１）の平均半径Ｒ１は、外側となる第２のフレキシブルプリント基板（５）の内面（５１）の平均半径Ｒ２より僅か大きくなっている。
【００１５】
ここで、閉じることにより、螺旋部の隙間がどのように変化するかを説明する。まず、閉じることによる第１のフレキシブルプリント基板（４）の螺旋の変化を説明する。閉じた状態の第１のフレキシブルプリント基板（４）の外面（４１）の平均半径をＲ１’とし、螺旋でない受話部（１）側及び送話側（２）の第１のフレキシブルプリント基板（４）の長さを夫々Ｌ１,Ｌ２とする（図４参照）。また、閉じる角度はαラジアンとし、螺旋形状を近似的に円形とする。
【００１６】
開いた状態（図３）の第１のフレキシブルプリント基板（４）の両コネクタ（１２）（２２）間の長さはＬ１＋Ｌ２＋２πＲ１＋（π−α）Ｒ１となる。ここで、（π−α）Ｒ１は螺旋が重なる部分である。閉じた状態（図４）の第１のフレキシブルプリント基板（４）の両コネクタ（１２）（２２）間の長さはＬ１＋Ｌ２＋２πＲ１’＋πＲ１’となる。ここで、πＲ１’は螺旋が重なる部分である。この開いた状態（図３）の長さと閉じた状態（図４）の長さでは同じであることから、Ｌ１＋Ｌ２＋２πＲ１＋（π−α）Ｒ１＝Ｌ１＋Ｌ２＋２πＲ１’＋πＲ１’となる。これを解くとＲ１’＝Ｒ１−αＲ１／３πとなる。即ち、ヒンジ部（３）がαラジアン閉じると、第１のフレキシブルプリント基板（４）の螺旋の半径はαＲ１／３π短くなる。
【００１７】
第２のフレキシブルプリント基板（５）の螺旋の半径も、同様に、ヒンジ部（３）がαラジアン閉じると、αＲ２／３π短くなる。
【００１８】
ここで、Ｒ２＞Ｒ１であるので、αＲ２／３π＞αＲ１／３πとなり、内側となる第１のフレキシブルプリント基板（４）の外面（４１）と、外側となる第２のフレキシブルプリント基板（５）の内面（５１）の隙間は（即ち、上下のフレキシブルプリント基板の隙間は）、ヒンジ部（３）が閉じることにより狭くなる。
【００１９】
よって、図３の開いた状態でなく、図４の閉じた状態で上下のフレキシブルプリント基板（４）（５）の螺旋部に隙間ができるように設計する。実験によると、平均半径０．２ｍｍの隙間を設けたとき１０万回の開閉でもフレキシブルプリント基板の断線がなかった。実験では０．２ｍｍ以上の隙間が必要ということになるが、複数の螺旋の中心が相対的にずれることや部品寸法のばらつき等を考慮し、実際の量産では余裕をもたせて０．５ｍｍ以上にすることが好ましい。
【００２０】
尚、上述の計算は螺旋形状を円形とみなしたが、量産の設計にあたっては、手作り品で隙間の確認をすればよい。また、複数の螺旋の中心が相対的にずれることを考慮し、隙間はゆとりを持たせる。
【００２１】
尚、上述の実施例のフレキシブルプリント基板の重なりは２枚であったが、本発明は３枚以上の場合にも容易に適用させることができる。
【００２２】
【発明の効果】
上述のごとく、複数のフレキシブルプリント基板が前記ヒンジ部内で重なって螺旋している携帯電話端末に於いて、最も上下のフレキシブルプリント基板の隙間が狭くなるのは閉じた状態であるから、この状態で隙間があるように設計する。このために、フレキシブルプリント基板どうしの摩擦が少なくなり、開閉の耐久性が向上する。
【００２３】
また、複数の螺旋の中心が相対的にずれることを考慮し、閉じた状態の隙間にゆとりを持たせるため、摩擦がより少なくなる。
【図面の簡単な説明】
【図１】フレキシブルプリント基板を携帯電話端末に組み込む前の状態を示す部分透過斜視図である。
【図２】図２の組み込んだ後の状態を示す部分透過斜視図である。
【図３】開いた状態の螺旋部の状態を示す側面図である。
【図４】閉じた状態の螺旋部の状態を示す側面図である。
【図５】図４に対応する従来例を示す側面図である。
【符号の説明】
１  受話部
１１  受話部のプリント基板
１２  受話部のコネクタ
１３  受話部のコネクタ
１４  受話部の筐体
２  送話部
２１  送話部のプリント基板
２２  送話部のコネクタ
２３  送話部のコネクタ
２４  受話部の筐体
３  ヒンジ部
４  第１のフレキシブルプリント基板
４１  第１のフレキシブルプリント基板の上面
５  第２のフレキシブルプリント基板
５１  第２のフレキシブルプリント基板の上面
【図１】
0003717769.tif 000002
【図２】
0003717769.tif 000003
【図３】
0003717769.tif 000004
【図４】
0003717769.tif 000005
【図５】
0003717769.tif 000006